【手続補正書】
【提出日】平成21年1月6日(2009.1.6)
【手続補正１】
【補正対象書類名】特許請求の範囲
【補正対象項目名】全文
【補正方法】変更
【補正の内容】
【特許請求の範囲】
【請求項１】
光終端装置と、光スプリッタと、光ファイバ及び前記光スプリッタを介して前記光終端装置に接続される複数の光ネットワークユニットとを備え、前記光終端装置と前記光ネットワークユニットとが波長分割多重で通信するパッシブ光ネットワークシステムであって、
各光ネットワークユニットが前記光終端装置から共通に受信する第１波長が予め定められ、前記第１波長と異なる複数の波長の中から、前記光終端装置と各光ネットワークユニットとの通信のための第２波長が光ネットワークユニット毎に割り当てられ、
該第１波長により光ネットワークユニットへの同報通信のデータが送信され、前記第１波長と異なる第２波長により前記各光ネットワークユニットに前記各光ネットワークユニットへのデータが送信されることを特徴とするパッシブ光ネットワークシステム。
【請求項２】
請求項１記載のパッシブ光ネットワークシステムにおいて、
前記光終端装置は、
第１波長を、光終端装置からの各光ネットワークユニットに対する同報通信に割り当て、
前記複数の第２波長を、光終端装置と各光ネットワークユニットとのポイントツウポイント通信を行うために、各光ネットワークユニットに対してそれぞれひとつ又は複数割り当てるパッシブ光ネットワークシステム。
【請求項３】
請求項１に記載のパッシブ光ネットワークシステムであって、
前記第１波長で同報通信データ及び制御メッセージを送信し、
前記第２波長で各光ネットワークユニットとのポイントツウポイント通信を行うことを特徴とするパッシブ光ネットワークシステム。
【請求項４】
請求項１に記載のパッシブ光ネットワークシステムであって、
前記光終端装置は、
前記光ネットワークユニットの識別子毎に、各光ネットワークユニットとの通信のために割り当てられた第２波長情報を保持し、
前記光ネットワークユニットに、前記第２波長を割り当てるための制御メッセージを前記第１波長を用いて送信し、
前記光ネットワークユニットはそれぞれ、
互いに異なる第２波長が割り当てられるパッシブ光ネットワークシステム。
【請求項５】
請求項１記載のパッシブ光ネットワークシステムにおいて、
さらに第３波長を用いて前記各光ネットワークユニットから前記光終端装置への制御メッセージが送受信されるパッシブ光ネットワークシステム。
【請求項６】
請求項２記載のパッシブ光ネットワークシステムにおいて、
前記光終端装置は、
各光ネットワークユニットに対して同報通信を行うパケットを識別して、識別された同報通信のパケットを第１波長を用いて前記光ネットワークユニットに送信し、
ポイントツウポイント通信を行うパケット及び宛先を識別して、宛先の光ネットワークユニットに割り当てられた第２波長を用いて、該パケットを前記光ネットワークユニットに送信するパッシブ光ネットワークシステム。
【請求項７】
請求項２記載のパッシブ光ネットワークシステムにおいて、
第２波長は、前記光終端装置から前記光ネットワークユニットへの下り波長と、前記光ネットワークユニットから前記光終端装置への上り波長を有するパッシブ光ネットワークシステム。
【請求項８】
複数の光ネットワークユニットにパッシブ光ネットワークを介して接続され、前記光ネットワークユニットと波長分割多重で通信する光終端装置であって、
前記各光ネットワークユニットが共通に受信する第１波長と、前記第１波長と異なる複数の波長の中から、各光ネットワークユニットとの通信のための第２波長を光ネットワークユニット毎に割り当て、
前記光ネットワークユニットの識別子毎に、各光ネットワークユニットとの通信のために割り当てられた第２波長情報を保持し、
前記第１波長により光ネットワークユニットへの同報通信のデータを送信し、
前記保持された第２波長情報に基づき他の通信に割り当てられていない第２波長情報を含む制御メッセージを、第１波長により前記光ネットワークユニットへ送信することを特徴とする光終端装置。
【請求項９】
請求項８記載の光終端装置において、
第１波長を、光終端装置からの各光ネットワークユニットに対する同報通信に割り当て、
複数の第２波長を、各光ネットワークユニットとのポイントツウポイント通信を行うために、各光ネットワークユニットに対してそれぞれひとつ又は複数割り当てる光終端装置。
【請求項１０】
請求項９記載の光終端装置において、
前記第１波長で同報通信データ及び制御メッセージを送信し、
前記第２波長で各光ネットワークユニットとのポイントツウポイント通信を行い、
各光ネットワークユニットに対して、ポイントツウポイント通信のための第２波長をひとつずつ割り当てる光終端装置。
【請求項１１】
請求項９記載の光終端装置において、
前記複数の光ネットワークユニットのひとつに対して、ポイントツウポイント通信のための第２波長を複数割り当てる光終端装置。
【請求項１２】
請求項９記載の光終端装置において、
さらに、第３波長を前記光ネットワーユニットからの制御メッセージを受信するために割り当てる光終端装置。
【請求項１３】
請求項９記載の光終端装置において、
前記各光ネットワークユニットに対して同報通信を行うパケットを識別して、識別された同報通信のパケットを第１波長を用いて前記光ネットワークユニットに送信し、
ポイントツウポイント通信を行うパケット及び宛先を識別して、宛先の光ネットワークユニットに割り当てられた第２波長を用いて、該パケットを前記光ネットワークユニットに送信する光終端装置。
【請求項１４】
請求項９記載の光終端装置において、
第２波長は、前記光終端装置から前記光ネットワークユニットへの下り波長と、前記光ネットワークユニットから前記光終端装置への上り波長を有する光終端装置。
【請求項１５】
光終端装置と、光スプリッタと、光ファイバ及び前記光スプリッタを介して前記光終端装置に接続され、前記光終端装置と波長分割多重で通信する光ネットワークユニットであって、
前記光終端装置から他の光ネットワークユニットと共通する第１波長が予め定められ、前記第１波長と異なる複数の波長の中から、前記光終端装置と自光ネットワークユニットとの通信のための第２波長が割り当てられ、
前記光終端装置から第２波長を割り当てるための制御メッセージを受信し、
該第１波長により前記光終端装置からの同報通信のデータを受信し、該第１波長により、他の通信に割り当てられていない第２波長情報を含む前記制御メッセージを前記光終端装置から受信する光ネットワークユニット。
【請求項１６】
請求項１５記載の光ネットワークユニットにおいて、
前記光終端装置から複数の光ネットワークユニットに同報通信するための信号を第１波長で受信し、自光ネットワークユニットのみが受信する信号を第２波長で受信する光ネットワークユニット。
【請求項１７】
請求項１５記載の光ネットワークユニットにおいて、
前記第１波長で同報通信データ及び制御メッセージを受信し、
前記第２波長で前記光終端装置とのポイントツウポイント通信を行い、
ポイントツウポイント通信のための第２波長がひとつ割り当てられる光ネットワークユニット。
【請求項１８】
請求項１５記載の光ネットワークユニットにおいて、
前記第１波長で同報通信データ及び制御メッセージを受信し、
前記複数の第２波長で前記光終端装置とのポイントツウポイント通信を行い、
前記ポイントツウポイント通信のための第２波長が複数割り当てられる光ネットワークユニット。
【請求項１９】
請求項１６記載の光ネットワークユニットにおいて、
さらに、第３波長により前記光終端装置への制御メッセージをする光ネットワークユニット。